(57)【特許請求の範囲】
【請求項１】
両側面間を貫通する空気ダクトと、当該空気ダクトの略中央において本体背面に開口する分岐口とを備え、かつ当該空気ダクトないし分岐口に、当該空気ダクトを通過する空気流によって回転駆動されかつ前記分岐口に向かう空気流を生成する風車が装着されている、香炉台。
【請求項２】
前記風車が、鉛直軸回りに回転する風車である、請求項１記載の香炉台。
【請求項３】
石材にその前面に開口する空所を設けて当該空所を納骨室とし、前記開口を当該石材の前に設置した香炉台で閉鎖した構造の墓において、
前記香炉台が、請求項１又は２記載の香炉台であり、当該香炉台が、前記分岐口と前記石材の開口とを連通させた状態で設置されていることを特徴とする、墓。
【発明の詳細な説明】
【技術分野】
【０００１】
この発明は、納骨室が湿潤状態となって壁面に結露を生じたりカビや微生物が繁殖して不衛生になるのを防止した墓の構造に関するものである。
【背景技術】
【０００２】
我が国の墓は、土台、箱、上台、竿などと呼ばれる石材を積み重ねて作られている。積み重ねた墓石の内側に納骨室を作る方法として、古くは上下に貫通する空所を設けた石の上面をその上に積み重ねる石で塞いで納骨室を形成する構造が一般的であったが、石に空所を穿つ機械や内面を研磨する機械の普及により、箱と呼ばれる石の底面を四角く穿って天井を一体に備えた納骨室を形成する構造が一般的となっている。箱の前面には、骨壺を収める開口が設けられている。
【０００３】
箱は、中央部に四角い貫通孔（角孔）を設けた土台と呼ばれる石の上に置かれ、この土台の角孔と箱に穿った空所とにより、土の底と、側壁と一体の石でできた天井面とを持った納骨室が形成される。土台上には、箱の前面に接して香炉台（花台と呼ばれるものを含む。）が設置され、箱の前面の開口は、設置された香炉台によって閉鎖される。
【０００４】
日本の夏は高温多湿である。屋外に建立された石の墓は、日中は太陽に照らされて高温となり、夜は放熱により急激に温度が低下する。そのため、晴れた日の納骨室内の温度は６０℃を越え、夜は２０℃以下に下がるということが起る。周知のように飽和水蒸気圧は、温度により大きく変化し、温度が下がると空気中の水蒸気が水滴となり、納骨室の内壁面に結露する。多湿環境下では、カビが生えやすく、そのカビを餌にする微生物も繁殖して、不潔になりやすい。
【０００５】
本願の出願人は、納骨室の天井面に結露した水が骨壺の上に滴下するのを防止し、また、納骨室の内壁面に結露した水が速やかに墓外に排出される構造の墓を、下記特許文献により提案している。
【先行技術文献】
【特許文献】
【０００６】
【特許文献１】特開２００６−２１４２６２号公報
【特許文献２】特開２００８−１６９６９３号公報
【発明の概要】
【発明が解決しようとする課題】
【０００７】
特許文献１記載の発明によれば、納骨室内に結露水が溜ったり雨水が納骨室内に浸入するのを防止でき、納骨室内のカビや微生物の繁殖を相当程度防止できる。しかし、納骨室内の水蒸気が過飽和になって納骨室の天井や壁面に結露が生じること自体を防止するものでないから、納骨室内の除湿による清潔の維持が完全であるとは言えなかった。
【０００８】
この発明は、より積極的に納骨室内に湿潤空気が滞留するのを防止して、結露自体を生じないようにし、もって、納骨室内をより清潔に維持できる構造の墓を提供することを課題としている。
【課題を解決するための手段】
【０００９】
この発明は、墓の箱２の前に設置されて納骨室となる箱の空所２１に連通する開口２３を塞いでいる香炉台６に、外気の流れを受けて回転しかつ前記空所内を通気する風車７を設けることにより、上記課題を解決したものである。
【００１０】
この発明の香炉台は、両側面間を貫通する空気ダクト６１と、当該空気ダクトの略中央において香炉台本体の背面に開口する分岐口６３とを備え、かつ当該空気ダクトないし分岐口に、空気ダクト６１を通過する空気流によって回転駆動されかつ分岐口６３に向かう空気流を生成する風車７が装着されているというものである。空気ダクト６１は、香炉台６を左右に貫通するように設けられる。この場合の風車７としては、鉛直軸回りに回転する貫流型ないしバケット型の風車とするのが好ましい。
【００１１】
分岐口６３は、空気ダクト６１に連通して香炉台６の背面中央に開口しており、この香炉台６を箱２の前に設置したとき、分岐口６３が箱に設けた空所２１に繋がる開口２３に連通する。墓の周囲に生じる自然の風は、箱２や香炉台６に当たって空気ダクト６１に流れ込み、風車７を回転させる。この風車を通る風及び風車の回転によって生ずる風が、分岐口６３及び開口２３を通って、箱の空所２１に流入し又当該空所内の空気を吸込んで、空所２１内の空気を換気する。
【００１２】
従ってこの発明の墓は、石材にその前面に開口２３する空所２１を設けて当該空所を納骨室とし、前記開口２３を当該石材（箱）の前に設置した香炉台６で閉鎖した構造の墓において、香炉台６が、上記のこの発明の香炉台であり、当該香炉台が、前記分岐口６３と前記石材の開口２３とを連通させた状態で設置されていることを特徴とするものである。
【００１３】
空所２１内の換気をより効率よく行うためには、空気ダクト６１、分岐口６３及び開口２３により形成される空気流路に加えて、風車７により生成される空気流が空所２１を貫流するように、当該空気流の出口ないし入口となる空気流路を更に設けるのが好ましい。この空気流路としては、空所２１の天井から当該空所を設けた石材（箱２）とその上に積重される石材（上台３）との間の隙間を通る空気流路を設けるのが最適である。
【００１４】
従って、より好ましいこの発明の墓は、納骨室となる空所２１を設けた石材（箱２）と、当該石材の上に積重される積重材（上台３）とを備えた墓において、当該積重材の底面に凹部３１が形成され、箱２はその空所２１の天井面から箱２の上面に連通しかつその上端周囲に当該連通する孔への水の流入を阻止する止水壁２６を有する貫通孔２５を備え、前記積重材３は、貫通孔２５の上端を凹部３１内に位置させて、当該凹部の周囲に配置した通気性マット３２を介して空所２１を備えた石材２の上に載置されている墓である。
【図面の簡単な説明】
【００１５】
【図１】墓の正面図
【図２】香炉台の風車を取外した状態の図１の墓の中央部縦断面図
【図３】土台の排水構造を示す断面図
【図４】香炉台の風車を取付けた状態の図１の墓の中央部縦断面図
【図５】風車を取付けた状態の香炉台を背後から見た斜視図
【図６】香炉台に設ける風車の例を示す模式的な平面図
【図７】箱と上台の接合部の拡大断面図
【発明を実施するための形態】
【００１６】
以下、この発明の実施例を示す図面を参照して、この発明の実施形態を説明する。図に示す墓は、土台１の上に箱２、上台３、蓮台４及び竿５と呼ばれる石材を積重し、箱２の手前の土台１上に香炉台６を設置した形態の墓である。
【００１７】
土台１は、平板状の石材で、その中央より若干墓の後方よりに、土台を上下に貫通する正方形の角孔１１が設けられている。箱２は、内部に底面から正方形の空所２１が穿設されている。箱２を土台１上に載置することにより、土台の角孔１１と箱の空所２１とが連通して、底面が土の納骨室２２が形成される。箱２の前面には、納骨室２２に繋がる開口２３が設けられており、香炉台６は、この開口２３を塞ぐように設置されている。
【００１８】
空所２１は、土台の角孔１１より一辺の寸法が僅かに大きい正方形断面を備え、その天井面は、周囲の内壁面と滑らかに繋がる円弧面となっている。土台の角孔１１の周囲には、欠けや割れが生じない厚さの内側壁１２を残して周溝１３が削成されている。周溝１３の墓背後側の角部には、中心を周溝１３の中心から若干外側にずらして上下方向の円形の縦穴１４が設けられている。更に土台１下面には、縦穴１４の下端から土台の外側に向けて横穴１５が削成されている。横穴１５の先端は、土台１の背面に開口している。
【００１９】
周溝１３は、図２、３に示すように、土台１の上に箱２を載せたとき、箱の空所２１の下端の周縁２４がその全周に亘って周溝１３の溝幅内に位置するように設けられる。実際には加工及び石の積み重ね時に誤差が生ずるので、空所の下端周縁２４が溝幅の幅中央に位置する寸法を目標に加工すると、誤差に対する余裕を最も大きくすることができる。
【００２０】
風のある降雨時には、風上側の土台上面に降った雨水が土台１と箱２との隙間を通って納骨室の方へ流入してくる。しかし、この雨水は、周溝１３に流下し、内側壁１２を越えることができないので、縦穴１４及び横穴１５を通って墓石の外へと排出される。周溝１３から縦穴１４への水の流れを円滑にするために、周溝１３の底面には、縦穴１４に向かう水勾配を設けておくのがよい。
【００２１】
香炉台６には、その両側面間を貫通する、すなわち墓の前面から見て香炉台６を左右に横断する空気ダクト６１が穿設されている。この空気ダクトの中央には、箱形の収納室６２が香炉台６の背後から穿設して設けられている。すなわち、空気ダクト６１は、収納室６２部分において、香炉台背面に開口する分岐口６３を備えている。香炉台６を箱２の前面に設置したとき、この分岐口６３は、箱の開口２３と連通する。
【００２２】
収納室６２には、箱形ないし筒形の支持枠７１に軸支された風車７が収容されている。図の風車７は、上下端を枠７１に設けたピポット孔に自由回転可能にして支持された鉛直方向の回転軸回りに回転する貫流型ないしバケット型の縦円筒形の風車である。
【００２３】
貫流型の風車は、図６（ａ）に示すように、その回転軸７４と平行な細い翼７２をロータ（風車本体となる回転体）７３の外周部に多数並べた構造をしており、ロータを軸直角方向に貫通する空気流によって生ずる翼７２の表裏面の圧力差により回転する。貫流型の風車は、ロータ７３を囲む周壁の開口の位置によって空気の流出方向が変化する。
【００２４】
また、バケット型の風車は、図６（ｂ）に示すように、大きく屈曲した幅広い翼（バケット）７２を軸方向に並べた構造をしており、軸直角方向に流入した空気が翼に衝突して反転し、更にそれが対向する翼に流入して再び反転するという空気の流れによって、翼が空気の反動を受けて回転する。バケット型の風車は、回転に伴って翼７２の位置が変化し、翼７２から流出する空気の方向が変化する。従って、バケット型の風車は、ロータ７３の周囲に脈動する空気流を生じさせる。
【００２５】
香炉台６は、収納室６２に上記のような風車を収容して、箱の前面の開口２３を塞ぐように設置される。この設置状態において、香炉台の分岐口６３は、納骨室に繋がる箱の開口２３に連通する。香炉台６の両側面の空気ダクト６１が開口する部分には、羽虫の出入りを防止する細かい網目を備えたフィルタキャップ６４が嵌着されている。このフィルタキャップ６４は、傷んだときに取り外して交換したり修理したりすることができる。また、風車７は、香炉台６をずらして収納室６２から取り出すことにより、交換したり修理したりすることができる。
【００２６】
上記構造の香炉台６を設置した墓においては、墓の周囲を吹く風によって空気ダクト６１にその一方から他方へと流れる空気流を生じ、この空気流が風車７を回転させる。この風車の回転により、空気ダクト６１に流入した空気の一部が納骨室２２に送り込まれて、納骨室２２内の空気を攪拌する。更に、風車は、その入口側と出口側との圧力バランスによって送風機としても作用することから、風が弱まったり風向きが反転したときに、納骨室２２内の空気を吸い出すように作用して、納骨室２２を換気する。
【００２７】
そのため高温の空気が納骨室に滞留したまま冷やされて、納骨室の壁面に結露を生ずるという現象を回避することができ、納骨室２２内を乾燥した状態に保持することができる。
【００２８】
空気ダクト６１は、その両端が一般的には、箱２の幅より幅寸法の小さい香炉台６の両側面に開口しているため、墓の前方から側方に亘る範囲に向いて吹く風を効率良く空気ダクト６１内に導いて風車７を回転させることができる。すなわち、墓の前方や側方、特に前側方から吹く風は、香炉台６の側面と箱２の前面との接合部に衝突して風圧が上り、空気ダクト６１内の空気流が加速されて、風車７の回転を助長する。
【００２９】
特に貫流型やバケット型の風車は、弱い風でも良く回転し、かつ風の流入方向と直交する方向への風も生ずるので、僅かの風を捕らえて効率良く納骨室内の換気を行うことができる。
【００３０】
図示実施例の構造の墓においては、箱２の上に積重した上台３の底面に、浅い凹部３１が形成されている。図７に模式的に示すように、上台３は、凹部３１の周囲の底面と箱２の上面との間に目地テープ３２と複数個のスペーサ３３を介して積重されている。目地テープ３２は、通気性を備えたスポンジ状の２〜３ｍｍの厚さのテープ状のマットで、従来の目地モルタルに代えて、積重した箱２と上台３の間の隙間を塞いでいる。スペーサ３３は、一般的には箱２の上面に接着した豆粒大の鉛で、複数個のスペーサ３３の厚さを押しつぶして調整することにより、上台３の上面の水平出しを行う。箱２と上台３とは、水平出しを行った状態で、両者の間に点在させた接着剤３４で接着される。
【００３１】
箱２には、空所２１の天井から箱の上面に貫通する貫通孔２５が穿設されている。この貫通孔２５の周壁は、箱２の上面から若干突出しており、この突出した周壁の外周面が止水壁２６となって箱２の上面と上台３との間に浸入した雨水が貫通孔２５内に流入するのを阻止している。上台の底面に設けた凹部３１は、箱２の上面から突出している周壁２６と上台３の底面が干渉するのを防止するために設けられたものである。
【００３２】
上台底面の凹部３１の深さは、箱２の上面から上方に突出する周壁２６の高さよりも深い。従って、貫通孔２５と凹部３１とは連通しており、かつ目地テープ３２が通気性を備えていることから、貫通孔２５は、空所２１の天井に開口する通気孔となっている。
【００３３】
香炉台６は、箱２の前面の開口２３を塞ぐように設置されるが、その背面と箱の前面の間には隙間６５があり、空気はこの隙間を通って空所２１内に流入することができる。従って、従来構造の香炉台を設けた上記構造の墓において、空所２１には箱の前面の香炉台との間の隙間６５を通って流入し、貫通孔２５から箱と上台との間の目地テープ３２を通って流出する空気流路が形成される。
【００３４】
日中、納骨室となる空所２１内の空気が高温になると、軽くなった納骨室内の空気が貫通孔２５、凹部３１及び目地テープ３２を通って流れ、箱２と香炉台６との間の隙間６５及び開口２３を通って、外気が空所２１内に流入し、空所２１内を換気する。これにより、納骨室となる空所２１内に湿潤した空気が滞留するのを防止することができ、納骨室内をより乾燥した状態に保持することができる。
【００３５】
箱と上台の構造として、納骨室の天井に設けた貫通孔から箱と上台の間を通って納骨室内の空気を流出させる自然換気構造と、自然の風で回転する風車を利用した強制換気とを併用した墓では、そのいずれか一方を設けた墓に比べて納骨室２２内の結露をより効果的に防止することができる。
【符号の説明】
【００３６】
２  箱
３  上台
６  香炉台
７  風車
２１  空所
２２  納骨室
２３  開口
２５  貫通孔
２６  止水壁
３１  凹部
３２  通気性マット（目地テープ）
６１  空気ダクト
６３  分岐口
６５  隙間
【図１】
0005693131.tif 000002
【図２】
0005693131.tif 000003
【図３】
0005693131.tif 000004
【図４】
0005693131.tif 000005
【図５】
0005693131.tif 000006
【図６】
0005693131.tif 000007
【図７】
0005693131.tif 000008